(57)【要約】　　　（修正有）【課題】両端部まで見栄えが良く、且つしっかりと棒状建材を固定取付けした棒状建材の設置構造を提供する。【解決手段】複数本立設された支柱４のうちの端部の支柱４’に受け金具５０が設けられている。受け金具５０は、水平片５１と、該水平片５１の左右方向の辺縁部から直角に起立した第１の起立片５２及び第２の起立片５３から構成されている。第２の起立片５３の起立高さは、第１の起立片５２の起立高さよりもフラットバー１０の厚み分だけ大きなものとなっている。第１の起立片５２の上辺にフラットバー１０を重ねると、このフラットバー１０の上面と第２の起立片５３の上辺とが面一状となる。押え金具３０の水平片３１はフラットバー１０の上面と第１の起立片５２の上辺とに当接するように配置されることにより、水平に延在するようになる。【選択図】　図１
2004027611.tif 000002
【特許請求の範囲】
【請求項１】
長手方向に貫通した貫通孔を有する中空棒状建材が支柱に対し略水平に取付けられた棒状建材の設置構造において、
該棒状建材の貫通孔内にバーが挿通されており、
該バーの両端がそれぞれ受け金具及び押え金具を介して該支柱に取付けられており、
該受け金具は、該支柱に固着された水平片と、
該水平片の該支柱を挟んで両側からそれぞれ立設された第１の起立片及び第２の起立片とを備えており、
前記バーが第１の起立片の上端に重ね合わされ、このバー及び該第２の起立片の上端に対し板状の前記押え金具が上方から重ね合わされ、
該押え金具と該水平片とがボルトによって固定されており、
該第２の起立片の起立高さが第１の起立片の起立高さよりもバーの厚み分だけ高く、これにより該押え金具が略水平となっていることを特徴とする棒状建材の設置構造。
【請求項２】
長手方向に貫通した貫通孔を有する中空棒状建材が支柱に対し略水平に取付けられた棒状建材の設置構造において、
該棒状建材の貫通孔内にバーが挿通されており、
該バーの両端がそれぞれ受け金具及び押え金具を介して該支柱に取付けられており、
該受け金具は、該支柱に固着された水平片と、
該水平片の該支柱を挟んで両側からそれぞれ立設された第１の起立片及び第２の起立片とを備えており、
前記バーが第１の起立片の上端に重ね合わされ、このバー及び該第１の起立片の上端のうち高位のものと、該第２の起立片の上端とに対し板状の前記押え金具が上方から重ね合わされ、
該押え金具と該水平片とがボルトによって固定されており、
該第１の起立片の上端の延在方向の中央付近に延在方向の両端側よりも低位となった低段部が設けられ、
該低段部に前記バーが配置され、これにより前記押え金具が略水平となっていることを特徴とする棒状建材の設置構造。
【請求項３】
請求項２において、前記第２の起立片の上端の延在方向の中央付近に該延在方向の両端側よりも低位となった低段部が設けられ、両端側に高段部が設けられており、
該低段部内に前記バーが配置可能となっていることを特徴とする棒状建材の設置構造。
【発明の詳細な説明】
【０００１】
【発明の属する技術分野】
本発明は、セラミック等よりなる中空棒状建材を横引きに設置した構造に関するものである。詳しくは、例えば窓の外面に沿って水平ブラインド（日除け）や水平な面格子を設けたり、あるいは校倉造り調の壁面を構築する場合に好適な棒状建材の設置構造に関する。
【０００２】
【従来の技術】
従来、窓の日除けのためには布製のカーテンやプラスチック製のブラインド、竹製のすだれ等が用いられているが、いずれも長期の耐久性に乏しく、数年ないし１０年程度しか使うことができず、また、屋外に使用することもできない。
【０００３】
また、従来、窓の面格子にはアルミ等の金属材や、木材が用いられているが、タイル張り壁面にあっては格子とタイルとの材質上の違和感があり、意匠性に劣ることがあった。
【０００４】
そこで、この日除けや面格子を耐久性が良く、またタイルと材質感をマッチさせることも可能なセラミック製とすることが考えられる。しかし、セラミックは割れる可能性のある材料であるため、セラミック製棒状建材を水平に設置した場合、折れて落下するおそれがある。
【０００５】
そこで、セラミック製棒状建材を中空とし、その貫通孔内に金属棒状体（バー）を挿通することが考えられる。このようにすれば、セラミック棒状建材の折損落下を防止することができる。
【０００６】
このようなセラミック等よりなる中空棒状建材を横引きに設置する構造として、第９図〜第１３図に示すような構造が考えられている。第９図は中空棒状建材の設置構造の一例を示す全体斜視図、第１０図はこの棒状建材の設置構造の要部分解斜視図、第１１図はこの棒状建材の設置構造の縦断面図、第１２図は第１１図のＸＩＩ−ＸＩＩ線断面図、第１３図は第１１図のＸＩＩＩ−ＸＩＩＩ線断面図である。
【０００７】
第９図の通り、建物２の窓開口３の外面に沿うように、方立を構成する棒状の支柱４が所定間隔をおいて複数本立設され、この支柱４，４間にセラミック製の中空棒状建材１が水平に且つ上下方向に多段に取付けられている。第１０図等に拡大して示すように、各棒状建材１の貫通孔５には金属棒状体としてフラットバー１０が挿通されており、各棒状建材１は、このフラットバー１０の両端側が、支柱４に設けられた受け金具２０に固定されることにより、該支柱４，４間に保持されている。
【０００８】
該フラットバー１０は、第１１図に示すように、その長手方向の両端部同士の間隔が棒状建材１の長さよりも大きなものとなっており、該両端部が棒状建材１の両端面から側外方に延出するように貫通孔５に挿通されている。このフラットバー１０の両端部には、それぞれ、後述する受け金具２０の起立片２２に掛かる垂下片１１が曲成されている。なお、フラットバー１０の両端側の上面から凸段部１２が突設されている。この凸段部１２は、該フラットバー１０と同一材質の金属板片を溶接等により該フラットバー１０の上面に固着してなるものである。この凸段部１２の上面に接着剤が塗工されており、該凸段部１２を介して該フラットバー１０が棒状建材１の貫通孔５の天井面部分に接着されている。
【０００９】
受け金具２０は支柱４に溶接等により固着されている。この受け金具２０は、水平片２１と、該水平片２１から起立する１対の起立片２２とを有したＵ字形状のものである。
【００１０】
水平片２１の中央の円形孔２３に支柱４が挿通され、溶接されている。この円形孔２３を挟んで両側にそれぞれボルト挿通孔２４が設けられている。このボルト挿通孔２４には、後述のボルト４０が挿通される。
【００１１】
前記垂下片１１を起立片２２に掛けるようにこの起立片２２の上辺にフラットバー１０の端部が重なり、このフラットバー１０の端部を該起立片２２の上辺に押えるように、受け金具２０に押え金具３０が装着される。
【００１２】
この押え金具３０は、水平片３１と、該水平片３１から垂下する１対の垂下片３２とを有した逆Ｕ字形状のものである。この水平片３１にはＵ字形の切欠部３３が設けられ、この切欠部３３に支柱４が挿通される。切欠部３３の両側にボルト挿通孔３４が設けられている。
【００１３】
この押え金具３０は、垂下片３２，３２が受け金具２０の起立片２２の無い辺に沿うように受け金具２０に上方から係合される。押え金具３０は、第１１図の通り、水平片３１が、左右の起立片２２の上辺に重なった１対のフラットバー１０，１０の上面に当接するように配置される。この押え金具３０のボルト挿通孔３４から受け金具２０の長孔２４にボルト４０を通し、ナット４１を該ボルト４０に締め込むことにより、フラットバー１０が固定されると共に、押え金具３０自身も受け金具２０に固定される。この固定状態にあっては、押え金具３０の垂下片３２がフラットバー１０の垂下片１１の両サイドに配置されるため、フラットバー１０が受け金具２０から外れることはない。
【００１４】
また、フラットバー１０の両端の垂下片１１が起立片２２に掛止されるので、施工途中時に棒状建材１が左右方向（棒状建材１の長手方向）にスライドして落下することもない。
【００１５】
このように構成された棒状建材の設置構造によって設置施工された棒状建材１は、貫通孔５にフラットバー１０が挿通されているので、仮に棒状建材１が割れても落下することがない。また、このフラットバー１０は棒状建材１に接着されているので、棒状建材１のガタツキも防止される。
【００１６】
【発明が解決しようとする課題】
この第９〜１３図の棒状建材の設置構造においては、支柱４を挟んで隣り合う棒状建材１，１同士が同一高さにて水平に横引きされるように、各受け金具２０の左右の起立片２２，２２の水平片２１からの起立高さは同一寸法とされており、これらの上辺は同一高度にて前後方向に略水平に延在している。
【００１７】
そのため、左右の起立片２２，２２の上辺に重なった１対のフラットバー１０，１０の上面に当接するように配置される押え金具３０の水平片３１も自ずと水平方向に延在するようになり、左右の棒状建材１，１同士のつなぎ目の見栄えが良好なものとなる。
【００１８】
ところが、この棒状建材の設置構造にあっては、複数本立設された支柱４のうち、端部に配置された支柱４（４’）の受け金具２０では、第１１図に示すように、一方の起立片２２の上辺にしかフラットバー１０が重ならないため、このフラットバー１０を押えるように配置された押え金具３０の水平片３１の片翼が、ボルト４０とナット４１の締め付けにより、該フラットバー１０の上面よりも低位となるもう一方の起立片２２の上辺に当接するようになり、該水平片３１が傾斜して見栄えが悪い。
【００１９】
また、水平片３１が傾いているために、この水平片３１と受け金具２０の水平片２１とが平行とならない。その結果、第１１図に示すように、該ボルト４０の頭部とナット４１とが全周にわたって均一に該水平片３１，２１に当接せず、各々の回転を阻止する摩擦力が十分に作用しないため、該ボルト４０及びナット４１にゆるみが生じやすい。
【００２０】
本発明は、このような棒状建材の設置構造の問題点を解消し、複数本立設された支柱（方立）のうち、端部に配置された支柱においても見栄えが良く、しかも棒状建材がしっかりと固定取付けされる棒状建材の設置構造を提供することを目的とする。
【００２１】
【課題を解決するための手段】
本発明（請求項１）の棒状建材の設置構造は、長手方向に貫通した貫通孔を有する中空棒状建材が支柱に対し略水平に取付けられた棒状建材の設置構造において、該棒状建材の貫通孔内にバーが挿通されており、該バーの両端がそれぞれ受け金具及び押え金具を介して該支柱に取付けられており、該受け金具は、該支柱に固着された水平片と、該水平片の該支柱を挟んで両側からそれぞれ立設された第１の起立片及び第２の起立片とを備えており、前記バーが第１の起立片の上端に重ね合わされ、このバー及び該第２の起立片の上端に対し板状の前記押え金具が上方から重ね合わされ、該押え金具と該水平片とがボルトによって固定されており、該第２の起立片の起立高さが第１の起立片の起立高さよりもバーの厚み分だけ高く、これにより該押え金具が略水平となっていることを特徴とするものである。
【００２２】
かかる請求項１の棒状建材の設置構造は、棒状建材に挿通されたバーの両端を支えるように複数本立設された支柱のうち、端部に配置された支柱による棒状建材の設置構造に適用される。
【００２３】
この請求項１の棒状建材の設置構造にあっては、棒状建材の貫通孔に挿通されたバーが重ね合わされる第１の起立片の起立高さよりも、該バーが重ね合わされない第２の起立片の起立高さの方が、該バーの厚み分だけ高くなっており、該第１の起立片にバーを重ね合わせると、該バーの上面と第２の起立片の上端とが略水平面一状となる。そのため、このバーを押えるように該バーの上面と第２の起立片の上端とに重ね合わされる板状の押え金具も略水平に配置されるようになり、端部の支柱においても見栄えの良好な棒状建材の設置構造を構成することができる。
【００２４】
また、押え金具が水平に配置されることによってこの押え金具と受け金具の水平片とが平行となることから、該押え金具と水平片とを固定するボルトを両者に対し垂直に貫通させ、このボルトの頭部とこのボルトに締め込まれるナットとを該押え金具と水平片とに対し全周にわたって均一に当接させることができるようになる。これにより、該ボルトの頭部とナットとにこれらの回転を阻止する摩擦力が十分に作用し、押え金具が水平片に確実に固着されるようになり、端部の支柱にもしっかりと棒状建材を固定取付けすることができる。
【００２５】
本発明（請求項２）の棒状建材の設置構造は、長手方向に貫通した貫通孔を有する中空棒状建材が支柱に対し略水平に取付けられた棒状建材の設置構造において、該棒状建材の貫通孔内にバーが挿通されており、該バーの両端がそれぞれ受け金具及び押え金具を介して該支柱に取付けられており、該受け金具は、該支柱に固着された水平片と、該水平片の該支柱を挟んで両側からそれぞれ立設された第１の起立片及び第２の起立片とを備えており、前記バーが第１の起立片の上端に重ね合わされ、このバー及び該第１の起立片の上端のうち高位のものと、該第２の起立片の上端とに対し板状の前記押え金具が上方から重ね合わされ、該押え金具と該水平片とがボルトによって固定されており、該第１の起立片の上端の延在方向の中央付近に延在方向の両端側よりも低位となった低段部が設けられ、該低段部に前記バーが配置され、これにより前記押え金具が略水平となっていることを特徴とするものである。
【００２６】
かかる請求項２の棒状建材の設置構造にあっては、棒状建材の貫通孔に挿通されたバーが重ね合わされる第１の起立片の上端の延在方向の中央付近に、該延在方向の両端側よりも低位となる低段部が設けられ、この低段部に該バーが配置される。そうすると、受け金具の水平片から該低段部に配置されたバーの上面又は該第１の起立片の上端面（低段部を除く）までの高さと、第２の起立片の上端までの起立高さとが略等しくなる。そのため、このバーを押えるように該バーの上面又は第１の起立片の上端面と第２の起立片の上端とに重ね合わされる板状の押え金具も略水平に配置されるようになり、端部の支柱においても見栄えの良好な棒状建材の設置構造を構成することができる。
【００２７】
また、この請求項２の棒状建材の設置構造にあっても、押え金具が略水平に配置されることによってこの押え金具と受け金具の水平片とが平行となることから、該押え金具と水平片とを固定するボルトを両者に対し垂直に貫通させ、このボルトの頭部とこのボルトに締め込まれるナットとを該押え金具と水平片とに対し全周にわたって均一に当接させることができるようになるので、該ボルトの頭部とナットとにこれらの回転を阻止する摩擦力が十分に作用し、押え金具が水平片に確実に固着されるようになり、端部の支柱にもしっかりと棒状建材を固定取付けすることができる。
【００２８】
なお、この請求項２の棒状建材の設置構造にあっては、該低段部と、該低段部よりも高位となった該低段部の両端側との段差により、該低段部内に配置されたバーが施工途中時に前後にスライドして受け金具から落下することが防止される。
【００２９】
この請求項２の棒状建材の設置構造においては、第２の起立片の上端の延在方向の中央付近に該延在方向の両端側よりも低位となった低段部が設けられ、両端側に高段部が設けられており、該低段部内にバーが配置可能となっていることが好ましい（請求項３）。
【００３０】
この請求項３の構成にあっては、第１の起立片と第２の起立片の双方にバーを配置することができるので、複数本立設された支柱のうち、端部に配置された支柱だけでなく、すべての支柱にこの請求項３の棒状建材の設置構造を適用することができる。
【００３１】
また、この請求項３の構成とした場合には、第１の起立片だけでなく第２の起立片にバーを重ねたときにも押え金具を略水平に配置することができるようになる。即ち、この構成では、第２の起立片の上端の延在方向の中央付近に、該延在方向の両端側よりも低位となる低段部が設けられ、該両端側には高段部が設けられている。この第２の起立片の低段部にバーを配置すると、受け金具の水平片から該バーの上面までの高さ及び該高段部（第２の起立片の上端）までの高さのうちの大きいものと、第１の起立片の低段部に配置された他のバーの上面及び第１の起立片の上端部のうちの高位のものとが略水平面一状となり、第１の起立片の低段部と第２の起立片の低段部とにそれぞれバーが配置されたときにも、押え金具は略水平に配置されるようになる。
【００３２】
なお、第２の起立片の低段部にバーを配置しない場合でも、第１の起立片の低段部に配置されたバーの上面及び第１の起立片の上端部のうちの高位のものと、第２の起立片の上端とが受け金具の水平片から同一高さとなっているので、押え金具が略水平に延在するようになる。
【００３３】
【発明の実施の形態】
以下、図面を参照して実施の形態について説明する。
【００３４】
第１図は請求項１の実施の形態に係る棒状建材の設置構造の要部分解斜視図、第２図はこの棒状建材の設置構造の縦断面図、第３図は第２図のＩＩＩ−ＩＩＩ線断面図、第４図（ａ）は第２図のＡ−Ａ線矢視図であり、第４図（ｂ）は第２図のＢ−Ｂ線矢視図である。
【００３５】
この実施の形態では、前述の第９〜１３図の棒状建材の設置構造において、複数本立設された支柱４のうちの端部に配置された支柱４（４’）に、前述の受け金具２０に代えて、第１図に示す如き受け金具５０を設けている。
【００３６】
この受け金具５０は、水平片５１と、該水平片５１の左右方向の一方の辺縁部から直角に起立した第１の起立片５２と、この第１の起立片５２と対向するように該左右方向の他方の辺縁部から直角に起立した第２の起立片５３とから構成されている。該第１の起立片５２の水平片５１からの起立高さは、前述の受け金具２０の起立片２２の水平片２１からの起立高さと同一の大きさとなっている。また、該第２の起立片５３の水平片５１からの起立高さは、この第１の起立片５２の起立高さよりも、フラットバー１０の厚み分だけ大きなものとなっている。
【００３７】
この受け金具５０は、水平片５１の中央の円形孔５４に支柱４’が挿通され、該第１の起立片５２の上辺と、該支柱４’と隣り合う他の支柱４の受け金具２０の起立片２２の上辺とが同一高度に延在するように配置されて該支柱４’に溶接されている。
【００３８】
この第１の起立片５２の上辺に、棒状建材１の貫通孔５に挿通されたフラットバー１０の端部が重ねられ、このフラットバー１０の端部を押えるように押え金具３０の水平片３１が配置される。該フラットバー１０の端部に設けられた垂下片１１は、第３図に示すように、この第１の起立片５２に掛止される。また、該水平片３１から垂設された両垂下片３２，３２は、この第１の起立片５２と第２の起立片５３の両側辺に沿うように配置される。該水平片３１は、第２図及び第４図（ａ），（ｂ）に示すように、一方の縁部が、この第１の起立片５２の上辺に重なったフラットバー１０の端部の上面に当接し、他方の縁部は第２の起立片５２の上辺に当接する。
【００３９】
この水平片３１に設けられたボルト挿通孔３４と対向するように受け金具５０の水平片５１にもボルト挿通孔５５が設けられており、これらの水平片３１，５１を貫通するようにボルト４０が該ボルト挿通孔３４，５５に挿通され、該ボルト４０にナット４１が締め込まれることにより、押え金具３０が受け金具５０に固定される。そして、このボルト４０とナット４１の締め付けにより、水平片３１が水平片５１に対し接近方向に付勢され、フラットバー１０の端部が該水平片３１と第１の起立片５１の上辺との間に挟持されるようになる。
【００４０】
この固定状態にあっては、押え金具３０の垂下片３２がフラットバー１０の垂下片１１の両サイドに配置されるため、フラットバー１０が受け金具５０から外れることはない。また、フラットバー１０の両端の垂下片１１が第１の起立片５２に掛止されているので、施工途中時に棒状建材１が左右方向（棒状建材１の長手方向）にスライドして落下することもない。
【００４１】
なお、この実施の形態の棒状建材の設置構造は、複数本立設された支柱４のうちの端部に配置された支柱４（４’）に対し、前記受け金具２０に代えてこの受け金具５０を設けた以外は前述の第９〜１３図の棒状建材の設置構造と全く同一の構成となっており、第１〜４図において、第９〜１３図と同一の符号は同一の部分を示している。
【００４２】
このように構成された棒状建材の設置構造にあっては、フラットバー１０の端部が重ならない第２の起立片５３の高さが、フラットバー１０の端部が重なる第１の起立片５２の高さよりも、該端部の厚み分だけ高くなっているので、フラットバー１０の端部を第１の起立片５２の上辺に重ねたときに、フラットバー１０の端部の上面と第２の起立片５３の上辺とが略水平面一状となる。そのため、このフラットバー１０の端部を押えるように押え金具３０の水平片３１を配置したときに、該水平片３１が該フラットバー１０の端部の上面と第２の起立片５３の上辺とに沿って略水平に延在するようになり、端部の支柱４’においても見栄えの良好な棒状建材の設置構造を構成することができる。
【００４３】
また、このように水平片３１が水平に延在することによってこの水平片３１と受け金具５０の水平片５１とが平行となり、第２図に示すように、ボルト４０が水平片３１及び５１を略垂直に貫通し、該ボルト４０の頭部とナット４１とが全周にわたって均一に該水平片３１，５１に当接するようになるため、各々の回転を阻止する摩擦力が十分に作用し、押え金具３０が確実に受け金具５０に固着されるようになる。これにより、端部の支柱４’にもしっかりと棒状建材１を固定取付けすることができる。
【００４４】
なお、この実施の形態の棒状建材の設置構造は、各支柱４に、前述の受け金具２０に代えてこの受け金具６０を設けたこと以外は前述の第９〜１３図の棒状建材の設置構造と全く同一の構成となっており、第１〜４図において、第９〜１３図と同一の符号は同一の部分を示している。
【００４５】
第５図は請求項２及び３の実施の形態に係る棒状建材の設置構造の要部分解斜視図、第６図はこの棒状建材の設置構造の縦断面図、第７図は第６図のＶＩＩ−ＶＩＩ線断面図、第８図（ａ）は第６図のＡ’−Ａ’線矢視図であり、第８図（ｂ）は第６図のＢ’−Ｂ’線矢視図である。
【００４６】
この実施の形態では、前述の第９〜１３図の棒状建材の設置構造において、各支柱４及び４’に、前述の受け金具２０に代えて、第５図に示す如き受け金具６０を設けている。
【００４７】
この受け金具６０は、水平片６１と、この水平片６１の左右の両辺縁部から直角に起立した１対の起立片６２，６２とから構成されている。この起立片６２，６２の水平片６１からの起立高さは同一寸法とされており、該起立片６２，６２の上辺は同一高度にて前後方向に略水平に延在している。
【００４８】
各起立片６２の上辺に沿って、該上辺の延在方向の中間部分を切り欠くように低段部６３が形成されている。この低段部６３は前後方向に略水平に延設されており、その延在長さは、第７図に示すように、フラットバー１０の両端部の幅（フラットバー１０の長手方向と直交方向の大きさ）よりも大きなものとされている。また、この低段部６３と各起立片６２の上辺との段差の大きさは、第８図（ｂ）に示すように、フラットバー１０の端部の厚みと略同一寸法とされている。
【００４９】
この受け金具６０は、水平片６１の中央の円形孔６４に支柱４（以下、特に「支柱４’」と指示しない限り、支柱４に支柱４’を含むものとする。）が挿通され、隣り合う支柱４，４間において該低段部６３同士が同一高度に延在するように配置されて該支柱４に溶接されている。
【００５０】
該低段部６３に、棒状建材１の貫通孔５に挿通されたフラットバー１０の端部が重ねられ、このフラットバー１０の端部を押えるように押え金具３０の水平片３１が配置される。該フラットバー１０の端部に設けられた垂下片１１は、第６図に示すように、起立片６２に掛止される。また、該水平片３１から垂設された両垂下片３２，３２は、各起立片６２の両側辺に沿うように配置される。
【００５１】
前述のように、該低段部６３は、各起立片６２の上辺からフラットバー１０の端部の厚み分だけ低位となっているので、第４図（ｂ）に示す通り、該低段部６３にフラットバー１０の端部が重なると、該端部の上面と、低段部６３の両側の起立片６２の上辺とが略面一状となる。従って、このフラットバー１０の端部を押えるように配置された水平片３１は、フラットバー１０の端部の上面と、低段部６３の両側の起立片６２の上辺の３箇所に当接するようになる。
【００５２】
この受け金具６０においても、該水平片３１に設けられたボルト挿通孔３４と対向するように、受け金具６０の水平片６１にもボルト挿通孔６５が設けられており、これらの水平片３１，６１を貫通するようにボルト４０が該ボルト挿通孔３４，６５に挿通され、該ボルト４０にナット４１が締め込まれることにより、押え金具３０が受け金具６０に固定される。そして、このボルト４０とナット４１の締め付けにより、水平片３１が水平片６１に対し接近方向に付勢され、フラットバー１０の端部が該水平片３１と低段部６３との間に挟持されるようになる。
【００５３】
この固定状態にあっては、押え金具３０の垂下片３２がフラットバー１０の垂下片１１の両サイドに配置されるため、フラットバー１０が受け金具６０から外れることはない。また、フラットバー１０の両端の垂下片１１が起立片６２に掛止されているので、施工途中時に棒状建材１が左右方向（棒状建材１の長手方向）にスライドして落下することもない。
【００５４】
このように構成された棒状建材の設置構造にあっては、受け金具６０の左右の起立片６２，６２の上辺に沿って該上辺からフラットバー１０の厚み分だけ低位となっている低段部６３にフラットバー１０の端部が重なるため、押え金具３０の水平片３１は、該低段部６３にフラットバー１０の端部が重なっている場合でも、該低段部６３にフラットバー１０の端部が重なっていない場合でも、必ずその４角隅部が左右の起立片６２の該低段部６３の両サイドの上辺にそれぞれ当接し、平行に延在するようになる。
【００５５】
従って、片方の起立片６２にしかフラットバー１０の端部が重ならない端部の支柱４’の受け金具６０においても、押え金具３０の水平片３１を水平に延在するように取り付けることができ、これにより、端部の支柱４’まで見栄えが良好で且つ該端部の支柱４’にもしっかりと棒状建材１が固定取付けされた棒状建材の設置構造を構成することができる。
【００５６】
しかも、この実施の形態では、複数本配置される支柱４のうちの端部に配置される支柱４’とその他の支柱４とを全く同一の構造とすることができるので、端部の支柱４’と他の支柱４とを区別する必要がなく、合理的で作業効率が良好であると共に、経済的な棒状建材の設置構造を構成することができる。
【００５７】
上記の各実施の形態はいずれも本発明の一例を示すものであり、本発明は上記の実施の形態に限定されるものではない。例えば、第５図〜第８図の実施の形態では、フラットバー１０の厚みに対し低段部６３の深さが略等しくなっているが、該厚みよりも深くてもよく、また浅くてもよい。低段部６３の方がフラットバー１０の厚みよりも深いときには、押え金具３０は起立片６２に重なり、逆に、低段部６３の方が該厚みよりも浅いときには、押え金具３０はフラットバー１０に重なる。
【００５８】
【発明の効果】
以上詳述した通り、本発明によると、両端部まで見栄えが良く、しかもしっかりと棒状建材を固定取付けした棒状建材の設置構造を構成することができる。
【図面の簡単な説明】
【図１】本発明（請求項１）の実施の形態に係る棒状建材の設置構造の要部分解斜視図である。
【図２】図１の棒状建材の設置構造の縦断面図である。
【図３】図２のＩＩＩ−ＩＩＩ線断面図である。
【図４】（ａ）図は図２のＡ−Ａ線矢視図であり、（ｂ）図は図２のＢ−Ｂ線矢視図である。
【図５】本発明（請求項２及び３）の実施の形態に係る棒状建材の設置構造の要部分解斜視図である。
【図６】図５の棒状建材の設置構造の縦断面図である。
【図７】図６のＶＩＩ−ＶＩＩ線断面図である。
【図８】（ａ）図は図６のＡ’−Ａ’線矢視図であり、（ｂ）図は図６のＢ’−Ｂ’線矢視図である。
【図９】中空棒状建材の設置構造の一例を示す全体斜視図である。
【図１０】図９の棒状建材の設置構造の要部分解斜視図である。
【図１１】図９の棒状建材の設置構造の縦断面図である。
【図１２】図１１のＸＩＩ−ＸＩＩ線断面図である。
【図１３】図１１のＸＩＩＩ−ＸＩＩＩ線断面図である。
【符号の説明】
１　棒状建材
４，４’　支柱（方立）
５　貫通孔
１０　フラットバー
１１　垂下片
２０　受け金具
２１　水平片
２２　起立片
３０　押え金具
３１　水平片
３２　垂下片
４０　ボルト
４１　ナット
５０　受け金具
５１　水平片
５２　第１の起立片
５３　第２の起立片
６０　受け金具
６１　水平片
６２　起立片
６３　低段部
【図１】
2004027611.tif 000003
【図２】
2004027611.tif 000004
【図３】
2004027611.tif 000005
【図４】
2004027611.tif 000006
【図５】
2004027611.tif 000007
【図６】
2004027611.tif 000008
【図７】
2004027611.tif 000009
【図８】
2004027611.tif 000010
【図９】
2004027611.tif 000011
【図１０】
2004027611.tif 000012
【図１１】
2004027611.tif 000013
【図１２】
2004027611.tif 000014
【図１３】
2004027611.tif 000015